(57)【要約】【課題】  特に固定ベルトの働きにより、リング状パッドをひざの膝蓋骨にしっかりと位置決め固定できる、膝蓋骨保護効果に優れてたひざ用サポーターを提供する。【解決手段】  弾力性を有する材料からなると共に、両側に外側締付端及び内側固定端が設けられ、表面がふわふわした柔軟性のある本体と、弾力性を有する材料からなると共に、前記本体の外側締付端と内側固定端との間に設けられ、ひざの膝蓋骨に対応する中央孔を有するリング状パッドと、前記本体の内側固定端から延出し、前記本体の外面に沿って捲回する時に、前記リング状パッドを被覆できる長さを有し、その末端に少なくとも１つの面ファスナーが設けられる、少なくとも１本の固定ベルトと、前記本体の外側締付端から中間に隙間が形成されるように二股に延出すると共に、それら二股となる部分にそれぞれ少なくとも１つの面ファスナーを有する２本の締付けベルトとを備えることを特徴とする。【選択図】  図１
0003137579.tif 000002
【実用新案登録請求の範囲】
【請求項１】
弾力性を有する材料からなると共に、両側に外側締付端及び内側固定端が設けられ、表面が柔軟性の本体と、
弾力性を有する材料からなると共に、前記本体の外側締付端と内側固定端との間に設けられ、ひざの膝蓋骨に対応する中央孔を有するリング状パッドと、
末端と、その末端に設けられる少なくとも１つの締め具としての面ファスナーとを有し、前記本体の内側固定端から延出し、前記本体の外面に沿って捲回する時に、前記リング状パッドを被覆できる長さを有する少なくとも１本の固定ベルトと、
末端と、内面と、その末端に設けられる少なくとも１つの締め具としての面ファスナーとを有し、前記本体の外側締付端から中間に隙間が形成されるように二股に延出する２本の締付けベルトとを備えることを特徴とするひざ用サポーター。
【請求項２】
２本の前記固定ベルトを有することを特徴とする請求項１に記載のひざ用サポーター。
【請求項３】
前記本体に、前記固定ベルトと対応する内縁を有する少なくとも１つの固定孔が穿設されることを特徴とする請求項１に記載のひざ用サポーター。
【請求項４】
前記少なくとも１つの固定孔の内縁に、弾力性を有し、前記少なくとも１つの固定ベルトを位置決めする位置決め縁が設けられることを特徴とする請求項３に記載のひざ用サポーター。
【請求項５】
２本の前記固定ベルトを有することを特徴とする請求項３又は４に記載のひざ用サポーター。
【請求項６】
前記少なくとも１つの締付けベルトは、さらに前記内面に設けられる少なくとも１つの補助締め具としての第２面ファスナーを有することを特徴とする請求項１に記載のひざ用サポーター。
【請求項７】
前記少なくとも１つの固定ベルトは、さらに少なくとも１つの補助締め具としての第２面ファスナーを有することを特徴とする請求項１に記載のひざ用サポーター。
【請求項８】
前記リング状パッドが本体の内部に埋め込まれることを特徴とする請求項１に記載のひざ用サポーター。
【考案の詳細な説明】
【技術分野】
【０００１】
本考案は、特に膝蓋骨を保護するためのリング状パッドと、前記リング状パッドを確実に固定するための固定ベルトとを備えるひざ用サポーターに関するものである。
【背景技術】
【０００２】
ひざは、膝蓋骨を含む多数の骨からなる関節であり、一般に「お皿」と呼ばれるこの膝蓋骨は、ひざの正面に位置するので、各種スポーツをする時に衝撃を受けやすく、負傷することが多い。
【０００３】
図１０乃至図１２に示すように、従来のひざ用サポーターの第１実施例は、本体（６１）と、リング状パッド（６４）と、１本の固定ベルト（６２）と、中間に隙間が形成される２本の締付けベルト（６３）とを備える構成とすることにより、ひざへの衝撃を防止するものである。
【０００４】
前記本体（６１）は、所定の隙間を有する二股状の外側締付端（符号なし）及び凸状の内側固定端（符号なし）と、ふわふわした柔らかな表面と、内面とを備えるベルトである。
【０００５】
前記リング状パッド（６４）は、本体（６１）の表面における外側締付端と内側固定端との間に設けられると共に、ひざの膝蓋骨（図面にない）に対応する中央孔（符号なし）を有するものである。  
また、前記固定ベルト（６２）は、面ファスナー（６２１）を有すると共に、前記本体（６１）の一端から延出する構造をなし、サポーターをひざに捲回する時は、前記二股状の締付けベルト（６３）の間に形成された隙間を通して、本体（６１）のふわふわした柔軟性のある表面に面ファスナー（６２１）により貼り付けられる。このように、前記固定ベルト（６２）を、締付けベルト（６３）の間に形成された隙間を通して本体（６１）の外面に貼り付けることにより、筒状に巻いた前記本体（６１）をひざにしっかりと固定することができる。尚、前記面ファスナー（６２１）は、１つの貼り付け方法に過ぎなく、他の方法を用いても構わない。
【０００６】
前記二股状の締付けベルト（６３）は、本体（６１）における、固定ベルトと異なる側から延出すると共に、該各締付けベルト（６３）には、少なくとも１つの面ファスナー（６３１）が設けられ、この構成により、前記リング状パッド（６４）をひざの膝蓋骨に位置決めて締付け固定する。  
更に、前記面ファスナー（６３１）は、締付けベルト（６３）の末端に設けられる、前記本体（６１）の表面に着脱可能な１つの貼り付け手段であることから、前記締付けベルト（６３）を本体（６１）の表面にしっかりと締付け固定することができるので、その締付けベルト本体（６１）を締付けると同時に、前記リング状パッド（６４）もひざの膝蓋骨にしっかりと位置決め固定することができる。
【０００７】
また、使用者の体が大きい場合は、図１３及び図１４に示すように、、本体（７１）が前記第１実施例より幅広である他の実施例のサポーターを使用することが好ましい。
【考案の開示】
【考案が解決しようとする課題】
【０００８】
しかしながら、前記従来のひざ用サポーターの第１実施例は、締付けベルト（６３）のみで締付け固定するので、前記リング状パッド（６４）をひざの膝蓋骨へ理想的な形で押圧して固定することができない。  
また、前記他の実施例を用いる場合では、前記締付けベルト（７３）と面ファスナー（７３１）により、本体（７１）をひざに固定するが、本体（７１）が幅広であることから、前記締付けベルト（７３）はリング状パッド（７４）の全体を被覆できないので、前記リング状パッド（７４）をしっかりと押さえてひざの膝蓋骨に位置決め固定することができない。
【０００９】
そこで、案出されたのが本考案であって、従来のひざ用サポーターの欠点を解決することにより、リング状パッドへさらなる圧力を与え、ひざの膝蓋骨に、よりしっかりと位置決め固定できる、膝蓋骨保護効果に優れたひざ用サポーターを提供することを目的としている。
【課題を解決するための手段】
【００１０】
本願の請求項１の考案は、弾力性を有する材料からなると共に、両側に外側締付端及び内側固定端が設けられ、表面がふわふわした柔軟性のある本体と、  
弾力性を有する材料からなると共に、前記本体の外側締付端と内側固定端との間に設けられ、ひざの膝蓋骨に対応する中央孔を有するリング状パッドと、  
前記本体の内側固定端から延出し、前記本体の外面に沿って捲回する時に、前記リング状パッドを被覆できる長さを有し、その末端に少なくとも１つの面ファスナーが設けられる、少なくとも１本の固定ベルトと、  
前記本体の外側締付端から中間に隙間が形成されるように二股に延出すると共に、それら二股となる部分にそれぞれ少なくとも１つの面ファスナーを有する２本の締付けベルトとを備えることを特徴とするひざ用サポーター、を提供する。
【００１１】
本願の請求項２の考案は、前記固定ベルトが二股状であることを特徴とする請求項１に記載のひざ用サポーター、を提供する。
【００１２】
本願の請求項３の考案は、前記本体に、少なくとも１つの前記固定ベルトと対応する固定孔が穿設されることを特徴とする請求項１に記載のひざ用サポーター、を提供する。
【００１３】
本願の請求項４の考案は、前記固定孔の内縁に、弾力性を有し、前記固定ベルトを摩擦力により位置決めする位置決め縁が設けられることを特徴とする請求項３に記載のひざ用サポーター、を提供する。
【００１４】
本願の請求項５の考案は、前記固定ベルトが二股状であることを特徴とする請求項３に記載のひざ用サポーター、を提供する。
【００１５】
本願の請求項６の考案は、前記固定ベルトが二股状であることを特徴とする請求項４に記載のひざ用サポーター、を提供する。
【００１６】
本願の請求項７の考案は、前記各締付けベルトに、本体の表面に貼り付くさらに少なくとも１つの第２面ファスナーが設けられることを特徴とする請求項１に記載のひざ用サポーター、を提供する。
【００１７】
本願の請求項８の考案は、前記固定ベルトに複数の面ファスナーが設けられることを特徴とする請求項１に記載のひざ用サポーター、を提供する。
【００１８】
本願の請求項９の考案は、前記リング状パッドが本体の内部に設けられることを特徴とする請求項１に記載のひざ用サポーター、を提供する。
【考案の効果】
【００１９】
本考案は上記の課題を解決するものであり、従来のひざ用サポーターの欠点を解決することにより、リング状パッドへさらなる圧力を与え、ひざの膝蓋骨に、よりしっかりと位置決め固定できるので、優れた膝蓋骨保護効果を有する。
【考案を実施するための最良の形態】
【００２０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２１】
図１は本考案に係るひざ用サポーターの第１実施例の平面図であり、図２は図１のひざ用サポーターの使用状態を示す斜視図であり、図３は図１のひざ用サポーターの使用状態を示す正面図であり、図４は本考案に係るひざ用サポーターにおける第１実施例の他の実施形態を示す平面図であり、図５は図４に示すひざ用サポーターにおける他の実施形態の使用状態を示す正面図であり、図６は本考案に係るひざ用サポーターの第２実施例の平面図であり、図７は図６に示すひざ用サポーターの使用状態を示す正面図であり、図８は本考案に係るひざ用サポーターにおける第２実施例の他の実施形態の平面図であり、図９は図８に示すひざ用サポーターの使用状態を示す正面図である。
【００２２】
図１乃至図３に示すように、本考案に係るひざ用サポーターの第１実施例は、本体（１１）と、リング状パッド（１４）と、２本の固定ベルト（１２）と、互いの間に隙間が形成される二股状の２本の締付けベルト（１３）とを備える。
【００２３】
前記本体（１１）は、弾力性を有する材料からなると共に、所定の隙間を有する二股状の外側締付端（符号なし）及び内側固定端（符号なし）と、ふわふわした柔軟性のある表面と、内面とを有するベルト状のものであり、本実施例をひざ（図示せず）に装着する時には、前記本体（１１）を筒状となるように巻きつけて固定する。
【００２４】
更に、前記本体（１１）における、外側締付端の近傍に、２本の固定ベルト（１２）と対応する、２つの固定孔（１５）が穿設され、該固定孔（１５）の内縁に、弾性力を有し、該固定ベルト（１２）を摩擦力により位置決めできる位置決め縁（１５１）が設けられる。尚、該位置決め縁（１５１）は、ゴム製のものであることが好ましい。
【００２５】
前記リング状パッド（１４）は、弾力性を有する材料からなると共に、前記本体（１１）の外側締付端と内側固定端との間に設けられ、ひざの膝蓋骨（図示せず）に対応する中央孔（符号なし）を有するものである。更に、該リング状パッド（１４）は、本体（１１）の表面及び内面の何れに取り付けてもよく、また、該本体（１１）の内部に埋め込んでも良い。使用時には、単に前記本体（１１）をひざに筒状に巻きつけて、中央孔を膝蓋骨に対応するように前記リング状パッド（１４）をひざの正面に位置決め固定すればよい。
【００２６】
また、図４及び図５に示すように、前記第１実施例の他の実施形態においては、固定ベルト（１２）が１本であり、該１本の固定ベルト（１２）により、リング状パッド（１４）を膝蓋骨にしっかりと位置決めし、本体（１１）をひざに固定させるものである。また、その構造は、本体（１１）と、リング状パッド（１４）と、１本の固定ベルト（１２）と、互いの間に隙間が形成される二股状の２本の締付けベルト（１３）とを備え、該締付けベルト（１３）は、該本体（１１）の外側締付端から延出し、ひざに巻きつけた時、筒状となった本体（１１）の表面に沿ってリング状パッド（１４）を被覆するに十分な長さを有すると共に、該各固定ベルト（１２）の末端に少なくとも１つの面ファスナー（１２１）が設けられる。尚、前記固定ベルト（１２）に複数の面ファスナー（１２１）が設ける場合、１つの面ファスナー（１２１）を固定ベルト（１２）の末端に設け、他の面ファスナー（１２１）を固定ベルト（１２）の末端以外の箇所、例えば中央部に設けてもよい。  
尚、使用時においては通常、前記固定ベルト（１２）を、固定孔（１５）に通してから本体（１１）の表面に貼り付けるが、二股状の締付けベルト（１３）の間を通して本体（１１）の表面に貼り付けても構わなく、更に、前記固定孔（１５）の内周壁に弾性力を有する位置決め縁（１５１）を設けることにより、該固定孔（１５）を通した固定ストラップ（１２）を、摩擦力によりしっかりと固定できるので、固定ベルト（１２）による締付け調整をより簡単に行うことができる。  
また、本実施例は、２本の固定ベルト（１２）を有する実施形態により実施してもよいが、前記リング状パッド（１４）を所定位置にしっかりと固定できる、１本の固定ベルト（１２）を備えた実施形態により実施しても構わない。
【００２７】
前記貼り付け手段である面ファスナー（１２１）は、固定ベルト（１２）を前記本体（１１）の、柔軟性のあるふわふわした表面に着脱自在であるが、本実施例に用いられる面ファスナー（１２１）は１つの実施形態であるため、当然ながらそれ以外の貼り付け手段を用いてもよい。
【００２８】
前記２本の締付けベルト（１３）は、本体（１１）の外側締付端から延出し、前記リング状パッド（１４）をひざの膝蓋骨にしっかりと固定するように上から押さえ付けるためのものであり、該各締付けベルト（１３）の末端付近にはそれぞれ、少なくとも１つの面ファスナー（１３１）が設けられる。  
前記面ファスナー（１３１）は、本体（１１）の表面において着脱自在であることから、前記締付けベルト（１３）を、本体（１１）の表面に位置決め固定することができる。より詳しく説明すると、前記少なくとも１本の固定ベルト（１２）を、２本の締付けベルト（１３）の間における隙間、又は前記固定孔（１５）に通して本体（１１）をひざに締め付けた後、該２本の締付けベルト（１３）を、本体（１１）の表面、即ち外側に沿って巻き付けてしっかりと本体（１１）を位置決め固定する。  
尚、本実施例においては、前記各締付けベルト（１３）にさらに少なくとも１つの、本体（１１）の表面に着脱可能な第２面ファスナー（１３２）を有することが好ましく、該第２面ファスナー（１３２）は、例えば、前記締付けベルト（１３）の内面中央部に設けられ、また、該面ファスナー（１３１）と同じ材料からなるものでも構わない。
【００２９】
図６乃至図９に示すように、本考案に係るひざ用サポーターの第２実施例は、本体（２１）と、リング状パッド（２４）と、２本の固定ベルト（２２）と、互いの間に隙間が形成される二股状の締付けベルト（２３）とを備えるものであり、構造上、前記第１実施例とほぼ同じであるが、体の大きい使用者に使用する時に、該締付けベルト（２３）が本体（２１）を完全にカバーできるように幅広に形成されている点において異なる。
【００３０】
また、前記リング状パッド（２４）は、弾力性を有する材料からなると共に、前記本体（２１）の外側締付端と内側固定端との間に設けられ、ひざの膝蓋骨（図示せず）に対応する中央孔（符号なし）を有するものである。
【００３１】
前記２本の固定ベルト（２２）は、本体（２１）の内側固定端から延出し、ひざに巻きつけ筒状となった前記本体（２１）の表面に沿って前記リング状パッド（２４）を完全に被覆できる長さを持つと共に、該各固定ベルト（２２）の末端に少なくとも１つの面ファスナー（２２１）が設けられる。尚、前記固定ベルト（２２）に複数の面ファスナー（２２１）が設けられる場合には、１つの面ファスナー（２２１）を固定ベルト（２２）の末端に設けると共に、他の面ファスナー（２２１）を固定ベルト（２２）の末端以外の箇所、例えば固定ベルト（２２）の内面中央部に設けてもよい。
【００３２】
一方、前記２本の締付けベルト（２３）は、本体（２１）の外側締付端から延出し、該各締付けベルト（２３）の末端には、少なくとも１つ面ファスナー（２３１）が設けられるが、該各締付けベルト（２３）に、さらに第２面ファスナー（２３２）を設けることが好ましい。
【産業上の利用可能性】
【００３３】
本考案は上記の構成を有するので、前記固定ベルトの働きにより、前記リング状パッドをひざの膝蓋骨にしっかりと位置決め固定することができるので、膝蓋骨保護効果に優れたひざ用サポーターを提供することができる。
【図面の簡単な説明】
【００３４】
【図１】本考案に係るひざ用サポーターの第１実施例の平面図である。
【図２】図１のひざ用サポーターの使用状態を示す斜視図である。
【図３】図１のひざ用サポーターの使用状態を示す正面図である。
【図４】本考案に係るひざ用サポーターにおける第１実施例の他の実施形態を示す平面図である。
【図５】図４に示すひざ用サポーターにおける他の実施形態の使用状態を示す正面図である。
【図６】本考案に係るひざ用サポーターの第２実施例の平面図である。
【図７】図６に示すひざ用サポーターの使用状態を示す正面図である。
【図８】本考案に係るひざ用サポーターにおける第２実施例の他の実施形態の平面図である。
【図９】図８に示すひざ用サポーターの使用状態を示す正面図である。
【図１０】従来のひざ用サポーターの第１実施例の平面図である。
【図１１】従来のひざ用サポーターの第１実施例の使用状態を示す斜視図である。
【図１２】従来のひざ用サポーターの第１実施例の使用状態を示す正面図である。
【図１３】従来のひざ用サポーターの他の実施例の平面図である。
【図１４】従来のひざ用サポーターの他の実施例の使用状態を示す正面図である。
【符号の説明】
【００３５】
（１１）本体                （１２）固定ベルト
（１２１）面ファスナー       （１３）締付けベルト
（１３１）面ファスナー      （１３２）第２面ファスナー
（１４）リング状パッド       （１５）固定孔
（１５１）位置決め縁        （２１）本体
（２２）固定ベルト          （２２１）面ファスナー
（２３）締付けベルト        （２３１）面ファスナー
（２３２）第２面ファスナー  （２４）リング状パッド
（６１）本体                （６２）固定ベルト
（６２１）面ファスナー      （６３）締付けベルト
（６３１）面ファスナー      （６４）リング状パッド
（７１）本体                 （７３）締付けベルト
（７３１）面ファスナー      （７４）リング状パッド
【図１】
0003137579.tif 000003
【図２】
0003137579.tif 000004
【図３】
0003137579.tif 000005
【図４】
0003137579.tif 000006
【図５】
0003137579.tif 000007
【図６】
0003137579.tif 000008
【図７】
0003137579.tif 000009
【図８】
0003137579.tif 000010
【図９】
0003137579.tif 000011
【図１０】
0003137579.tif 000012
【図１１】
0003137579.tif 000013
【図１２】
0003137579.tif 000014
【図１３】
0003137579.tif 000015
【図１４】
0003137579.tif 000016